(57)【要約】【課題】切粉が表裏面から発生するような場合であっても、発生した切粉の飛散を確実に防ぐ。【解決手段】切削装置Ａは、被切削材Ｂを切削する切削刃３を有する切削具４と、切削具４を有する第１ケーシング１と、被切削材Ｂに対し第１ケーシング１の反対側に配置される第２ケーシング２と、各ケーシング１、２の互いに対向する部位に配置された吸磁材８、９とを有し、第１ケーシング１と第２ケーシング２によって被切削材Ｂを厚さ方向に挟んで互いの吸磁材８、９を吸着させることで、切削刃３の移動に伴って第２ケーシング２を追従させると共に発生した切粉を第１ケーシング１又は第２ケーシング２で受ける。何れかのケーシングに切粉吸引装置に連通する吸引口６を設ける。【選択図】    図１
2008296340.tif 000002
【特許請求の範囲】
【請求項１】
被切削材を切削する切削刃を有する切削具と、前記切削具を有する第１ケーシングと、前記切削具によって被切削材を切削する際に被切削材に於ける第１ケーシングの配置面の反対側の面に配置される第２ケーシングと、前記第１ケーシング及び第２ケーシングの互いに対向する部位に配置された吸磁材と、を有し、被切削材を切削する際には、第１ケーシングと第２ケーシングとによって該被切削材を厚さ方向に挟んで互いの吸磁材を吸着させることで、切削刃の移動に伴って第２ケーシングを追従させると共に発生した切粉を第１ケーシング又は第２ケーシングで受けるように構成したことを特徴とする切削装置。
【請求項２】
前記第１ケーシング又は第２ケーシングに切粉吸引装置に連通する吸引口を設けたことを特徴とする請求項１に記載した切削装置。
【請求項３】
前記第１ケーシング及び第２ケーシングに於ける吸磁材を配置する互いに対向する部位が被切削材に対する切削方向に対し平行な方向であり、前記吸磁材が帯状に形成されたものであることを特徴とする請求項１又は２に記載した切削装置。
【請求項４】
前記第１ケーシング及び第２ケーシングに於ける互いに対向する部位であって被切削材に対する切削方向に対し直角な方向に被切削材の表面に接触するブラシを少なくとも前記第１ケーシングの後端部に設けたことを特徴とする請求項１乃至３の何れかに記載した切削装置。
【請求項５】
前記第１ケーシング及び第２ケーシングの被切削材に対する切削方向に対し前後方向の両端部を被切削材の表面から離隔する方向に折り曲げたことを特徴とする請求項１乃至４の何れかに記載した切削装置。
【発明の詳細な説明】
【技術分野】
【０００１】
本発明は、合板や合成樹脂製の板或いは他の板であって磁力線を透過させることが可能な被切削材となる板を切断する際に発生する切粉の飛散を防ぐことができる切削装置に関するものである。
【背景技術】
【０００２】
特に建築の分野では、合板や合成樹脂板等の板を丸鋸によって切削することが行われている。このような切削装置としては、工場に設置された固定式のものと、建築現場等で作業員が手で持って操作する可搬式のものとがある。このような切削装置によって前記板を切削した場合、必然的に切粉が発生する。
【０００３】
切削装置が固定式のものである場合、多くは丸鋸の近傍に切粉を吸引する吸引口が設けられており、この吸引口から切粉を吸引することで周囲への飛散を防いでいる。しかし、可搬式の切削装置では切粉を収集し得るように構成されたものはなく、更に、飛散した切粉を吸引し得るようにしたものは提供されていない。
【０００４】
一方、鋼材の表面を研磨する研磨装置では、可搬式のものであっても飛散する研磨後の粉塵を吸引して回収し得るように構成したものが提供されている（例えば特許文献１参照）。
【０００５】
【特許文献１】実開平６−４６８５７号公報
【発明の開示】
【発明が解決しようとする課題】
【０００６】
研磨装置の場合、粉塵は表面からのみ発生するため、切粉の吸引は表面側からのみ行えば良い。しかし、合板等の板を切削する切削装置の場合、切粉は板の厚さ方向に貫通して形成された溝（即ち、板の表面及び下面）から発生するため、特許文献１に記載された発明をこのような切削装置に適用することができないという問題がある。
【０００７】
本発明の目的は、切粉が表裏面から発生するような場合であっても、発生した切粉の飛散を防ぐことができる切削装置を提供することにある。
【課題を解決するための手段】
【０００８】
上記課題を解決するために本発明に係る切削装置は、被切削材を切削する切削刃を有する切削具と、前記切削具を有する第１ケーシングと、前記切削具によって被切削材を切削する際に被切削材に於ける第１ケーシングの配置面の反対側の面に配置される第２ケーシングと、前記第１ケーシング及び第２ケーシングの互いに対向する部位に配置された吸磁材と、を有し、被切削材を切削する際には、第１ケーシングと第２ケーシングとによって該被切削材を厚さ方向に挟んで互いの吸磁材を吸着させることで、切削刃の移動に伴って第２ケーシングを追従させると共に発生した切粉を第１ケーシング又は第２ケーシングで受けるように構成したものである。
【０００９】
上記切削装置に於いて、第１ケーシング又は第２ケーシングに切粉吸引装置に連通する吸引口を設けることが好ましい。
【００１０】
また、上記何れかの切削装置に於いて、第１ケーシング及び第２ケーシングに於ける吸磁材を配置する互いに対向する部位が被切削材に対する切削方向に対し平行な方向であり、前記吸磁材が帯状に形成されたものであることが好ましい。
【００１１】
また上記何れかの切削装置に於いて、第１ケーシング及び第２ケーシングに於ける互いに対向する部位であって被切削材に対する切削方向に対し直角な方向に被切削材の表面に接触するブラシを少なくとも第１ケーシングの後端部に設けることが好ましい。
【００１２】
また上記何れかの切削装置に於いて、第１ケーシング及び第２ケーシングの被切削材に対する切削方向に対し前後方向の両端部を被切削材の表面から離隔する方向に折り曲げたことが好ましい。
【発明の効果】
【００１３】
本発明に係る切削装置では、第１ケーシングが有する切削具によって合板や合成樹脂製の板等からなる板状の被切削材を切削することができる。また、被切削材の両面に夫々第１ケーシングと第２ケーシングを配置することで、被切削材の両面に発生した切粉を飛散させることなく収容することができる。そして、第１ケーシング及び第２ケーシングの対向する部位に例えば磁石と磁石、或いは磁石と磁性体等の組み合わせからなる吸磁材を設けることによって、切削具を有する第１ケーシングを移動させるのに伴って第２ケーシングを追従させることができる。従って、被切削材の表面側及び裏面側に発生した切粉が飛散することがない。
【００１４】
また、第１ケーシング或いは第２ケーシングに切粉吸引装置に接続された吸引口を設けることで、被切削材に対する切削に伴って発生した切粉を飛散させることなく、切粉吸引装置によって吸引することができる。
【００１５】
また、第１ケーシング及び第２ケーシングに於ける吸磁材を対向して配置する部位が被切削材に対する切削方向に対し平行な方向とし、且つ吸磁材を帯状に形成されたものとすることで、第１、第２ケーシングを互いに確実に吸着して第１ケーシングの動きに対し第２ケーシングを円滑に追従させることができる。
【００１６】
また第１ケーシング及び第２ケーシングの互いに対向する部位であって被切削材に対する切削方向に対し直角な方向に被切削材の表面に接触するブラシを設けることで、各ケーシングと被切削材の表面との間に隙間が形成された場合でも、この隙間をブラシが遮蔽することが可能となり、切粉が飛散することがない。更に、被切削材の表面に切粉が付着したような場合でも、この切粉を掃き落として各ケーシングに収容することができる。
【００１７】
また、第１ケーシング及び第２ケーシングの被切削材に対する切削方向に対し前後方向の両端部を被切削材の表面から離隔する方向に折り曲げることによって、円滑な切削を実現することができる。
【発明を実施するための最良の形態】
【００１８】
本発明に係る切削装置は、第１ケーシングと第２ケーシングを被切削材の表面と裏面に配置することで、被切削材を切断する際に発生する切粉の飛散を防止し、且つ発生した切粉を被切削材の表面に残置するか第２ケーシングに収容し得るように構成したものである。更に、何れかのケーシングに切粉吸引装置と連通させることによって発生した切粉を吸引することで収集し得るように構成したものである。
【００１９】
本発明に於いて、第１ケーシングと第２ケーシングは板状の被切削材を挟んで該被切削材の表裏面に夫々配置され、夫々のケーシングに設けた吸磁材の吸着力によって互いに対向する位置を保持し得るように構成されている。このため、被切削材は磁力線を透過し得る材質を有するものであれば良く、特に材質等を限定するものではない。
【００２０】
一般的な建築現場を想定した場合、被切削材としては、内装材や下地材として用いられる合板、断熱材或いは気密、断熱材として用いられる発泡合成樹脂製の板、耐火材として用いられる石膏ボード等があり、これら何れの板に適用しても、切粉の飛散を防止することが可能となり好ましい。
【００２１】
上記の如き被切削材を切削する切削刃としては丸鋸が一般的である。しかし、必ずしも丸鋸に限定するものではなく、直線状の鋸刃を往復駆動して切削するジグソーを切削具とすることも可能である。従って、切削刃を有する切削具としては、切削すべき線に応じて電動丸鋸や電動ジグソーを選択的に採用することが好ましい。
【００２２】
切削具を有する第１ケーシングは、少なくとも上記した丸鋸等の切削刃そのものを収容していれば良い。即ち、第１ケーシングは切削具を有するものの、切削具の全てを収容しておく必要はなく、切削刃を駆動する駆動部分は第１ケーシングの外部に配置されていても良い。特に、切削具の操作部分は第１ケーシングの外部に配置されていることが好ましい。
【００２３】
第１ケーシング及び第２ケーシングは、被切削材の表裏面に配置されたとき、夫々対応する面との間に切粉の飛散を許容し、且つ飛散した切粉が外部に飛び出すことなく落下し得るような空間を形成している。このため、各ケーシングは互いに対向する面が開放されたパン状に形成される。また、第２ケーシングの有する空間の容積は特に限定するものではないが、少なくとも１枚の被切削材を切削したときに発生する切粉を収容し得る程度の容積を有することが好ましい。
【００２４】
各ケーシングは切粉吸引装置に連通する吸引口を形成し得る程度の平面を有することが好ましい。切粉吸引装置の構成は特に限定するものではなく、何れかのケーシングに形成された吸引口に接続され、該ケーシングの内部の空気と切粉を同時に吸引し得るものであれば用いることが可能である。このような切粉吸引装置としては、家庭用の又は工事現場専用の電気掃除機があり、好ましく用いることが可能である。
【００２５】
また、各ケーシングの開口面の形状も特に限定するものではないが、互いに対向する部位に吸磁体を配置し得るような形状であることが好ましい。特に、吸磁体を帯状に形成すると共に、この帯状の吸磁体を切削の進行方向に対し平行な方向に配置すると、被切削材に対する切削過程で、第１ケーシングと第２ケーシングとの位置がずれたような場合であっても、吸磁材の吸着面積に大きな変化が生じることがないため好ましい。
【００２６】
各ケーシングに配置される吸磁体の構成は特に限定するものではなく、磁石と磁石からなる構成、磁石と該磁石に吸着される磁性体からなる構成、であって良い。特に、被切削材が板であるような場合、この板は横方向に配置された状態で、或いは傾斜した状態で切削されるため、第２ケーシングは吸磁体による吸磁力のみによって保持されることになる。このため、吸磁体の吸着力は、第２ケーシングの重量や被切削材の材質や厚さ等の条件を考慮して設定することが好ましい。
【実施例１】
【００２７】
以下、本発明に係る切削装置の最も好ましく実施し得る形態について図を用いて説明する。図１は切削装置の構成を説明する斜視図である。図２は切削装置の正面図である。図３は切削装置の側面図である。図４は切削装置の平面図である。
【００２８】
図に示すように、切削装置Ａは、被切削材Ｂの上面に載置される第１ケーシング１と、被切削材Ｂの下面に配置される第２ケーシング２とを有しており、第１ケーシング１に切削刃となる丸鋸３が設けられている。各ケーシング１、２は互いに対向する面は、同じ形状で且つ同じ寸法を持った開口面として形成されており、被切削材Ｂに上下面に対向して配置されたとき、夫々の面に大きな容積を持った空間を形成し得るように構成されている。
【００２９】
本実施例に於いて、丸鋸３は一般的に用いられる可搬式の木工機械として構成された切削具４に着脱可能に装着されている。そして、切削具４の略全体が第１ケーシング１に収容されている。従って、第１ケーシング１は、可搬式の電動鋸を略全周にわたってカバーし得る形状に形成されている。
【００３０】
第１ケーシング１にはハンドル挿入口５（図４参照）が形成されており、このハンドル挿入口５から切削具４の操作ハンドル４ａが外部に突出している。第１ケーシング１と切削具４とは、必ずしも強固に一体化させる必要はなく、ハンドル挿入口５に操作ハンドル４ａを挿入して空間をカバー片５ａで覆うことで充分である。
【００３１】
上記の如く構成することによって、作業員は操作ハンドル４ａを把持して移動させると、このときの力はカバー片５ａを介して第１ケーシング１に伝えられ、丸鋸３、切削具４を移動させるのに伴って第１ケーシング１を同時に移動させることが可能である。
【００３２】
第１ケーシング１の所定位置には、図示しない切粉吸引装置に連通する吸引口６が設けられている。この吸引口６を形成する位置は特に限定するものではないが、被切削材Ｂに対する切削作業の進行に支承を来すことのない位置であることが好ましい。このため、本実施例では、第１ケーシング１の進行方向後方側の側壁であって、丸鋸３の直後となる位置に形成されている。
【００３３】
従って、吸引口６に切粉吸引装置のホースを接続すると共に該切粉吸引装置を駆動することで、第１ケーシング１と被切削材Ｂとによって形成された空間７の空気を吸引することが可能であり、この空気の吸引に伴って、空間７にある切粉を吸引することが可能である。そして、吸引された切粉は、切粉吸引装置で収集、分離され、その後、最適な手段で廃棄処理される。
【００３４】
本実施例では、第１ケーシング１に吸引口６を設けたが、必ずしも第１ケーシング１に配置することに限定するものではなく、第２ケーシング２に配置しても、或いは第１ケーシング１と第２ケーシング２の両方に配置しても良いことは当然である。
【００３５】
各ケーシング１、２には、切削の進行方向に対し平行に吸磁体８、９が配置されている。これらの吸磁体８、９は夫々各ケーシング１、２の長さと略等しい長さを持って帯状に形成された永久磁石によって構成されており、各ケーシング１、２の切削の進行方向に対し両側面の下端部に設けた収容部１ａ、２ａに夫々収容されて固定されている。
【００３６】
各ケーシング１、２には、切削の進行方向に対し直角にブラシ１０、１１が設けられている。これらのブラシ１０、１１は夫々各ケーシング１、２の幅と略等しいか、或いは吸磁体８、９の寸法を差し引いた寸法を持って形成されており、各ケーシング１、２の進行方向の前端部と後端部とに配置されて固定されている。
【００３７】
尚、ブラシは少なくとも第１ケーシング１の後端部に設けることで切粉の飛散は防げるが、本実施例のように各ケーシング１、２の進行方向の前端部と後端部とに配置すれば、使用上方向を気にしなくてすむし、切削作業終了後の切粉集めにも使用でき便利である。
【００３８】
各ブラシ１０、１１は、被切削材Ｂの対向する表面と接触して各ケーシング１、２の内部で飛散している切粉が外部に飛び出すことを阻止し、特に、後方に配置されたブラシは被切削材Ｂの表面に付着した切粉を掃き落とす機能を有するものである。従って、この機能を発揮し得るものであれば材質を限定するものではない。前記機能を発揮するために、ブラシ１０、１１は適度に硬いことが好ましいが、余りに硬い場合、各ケーシング１、２の吸磁体８、９による吸着を阻害する虞がある。このため、ブラシ１０、１１は通常の歯ブラシ程度のものを利用することが好ましい。
【００３９】
各ケーシング１、２に於ける切削の進行方向の前側の端部には、被切削材Ｂの表面から離隔する方向に折り曲げられたガイド部１３、１４が形成されている。ガイド１３、１４は、被切削材Ｂに対する切削を進行させる際に、作業員に対し切削すべき方向を案内すると共に、被切削材Ｂの表裏面に障害物が存在しているような場合、この障害物を排除する機能を有する。
【００４０】
次に、上記の如く構成された切削装置Ａによって被切削材Ｂを切削する作業手順について説明する。
【００４１】
先ず、作業台に切削すべき被切削材Ｂを載置する。このとき、被切削材Ｂは、切削すべき個所の上下両面に空間が形成されるように配置して固定する。
【００４２】
次いで、切削具４の操作ハンドル４ａを操作して丸鋸３を回転させつつ、被切削材Ｂの端面から切削を開始し、該丸鋸３が被切削材Ｂを厚さ方向に貫通したことを確認したとき、丸鋸３の回転を一時停止させ、第１ケーシング１の一部を被切削材Ｂの上面に載置した状態としておく。この状態で、被切削材Ｂの下面側に第２ケーシングを配置し、互いの吸磁体８、９を接近させて吸着させる。これにより、被切削材Ｂの上面には第１ケーシング１が、下面には第２ケーシング２が夫々対向して配置されたことになる。
【００４３】
次いで、切削具４の操作ハンドル４ａを操作して丸鋸３を回転させると共に、該操作ハンドル４ａを把持して切削具４及び第１ケーシング１を切削の進行方向である矢印ａ方向に進行させる。この第１ケーシング１の進行に伴って、吸磁体８と吸磁体９の間に吸着力が作用し、第２ケーシング２が矢印ａ方向に追従してゆく。
【００４４】
上記の如く、切削具４及び第１ケーシング１が矢印ａ方向に進行する過程で、丸鋸３による被切削材Ｂに対する切削が進行し、この切削に伴って切粉が発生する。発生した切粉は被切削材Ｂの上面側、及び下面側に飛散する。切粉が各ケーシング１、２の進行方向の前後に飛散した場合、この切粉はブラシ１０、１１によって外部への飛び出しが阻止される。
【００４５】
発生した切粉は夫々の面に配置されている第１ケーシング１、第２ケーシング２の内部で飛散し且つ落下する。特に、被切削材Ｂの上面に落下した切粉は、切削の進行に伴って、第１ケーシング１の進行方向後方側に配置されたブラシ１０によって掃きとられ、丸鋸３によって切削された溝から落下して第２ケーシング２に収容される。しかし、一部の切粉は被切削材Ｂの上面に残置される。
【００４６】
第２ケーシング２の内部に落下した切粉は、該第２ケーシング２に収容された状態で進行し、所定の切削が終了したとき、第２ケーシング２を第１ケーシング１による吸着から解除することで分離し、その後、所定の廃棄処理がなされる。
【００４７】
上記の如くして被切削材Ｂを切削したときに発生した切粉の飛散を防止することが可能であり、且つ発生した切粉を第２ケーシング２に収容することが可能である。
【００４８】
特に、第１ケーシング１に形成した吸引口６に切粉吸引装置を連通させた場合には、第１ケーシング１の内部に形成された空間７は常に負圧の状態となっており、被切削材Ｂに対する切削の進行に伴って発生した切粉は、落下することなく空気と共に切粉吸引装置に吸引される。このため、第２ケーシング２に落下した切粉は該第２ケーシング２に収容され、被切削材Ｂの上面に切粉が残置されることはない。
【産業上の利用可能性】
【００４９】
本発明に係る切削装置Ａは、吸磁体８、９による吸着力によって、被切削材Ｂの上下両面に配置された第１ケーシング１に第２ケーシング２を追従させるので、切粉が被切削材の表裏両面から飛散するような部材を切削する際に利用して有利である。
【図面の簡単な説明】
【００５０】
【図１】切削装置の構成を説明する斜視図である。
【図２】切削装置の正面図である。
【図３】切削装置の側面図である。
【図４】切削装置の平面図である。
【符号の説明】
【００５１】
Ａ                      切削装置
Ｂ                      被切削材
１                      第１ケーシング
１ａ、２ａ              収容部
２                      第２ケーシング
３                      丸鋸
４                      切削具
４ａ                    ハンドル
５                      ハンドル挿入口
５ａ                    カバー片
６                      吸引口
７                      空間
８、９                  吸磁体
１０、１１              ブラシ
１３、１４              ガイド部
【図１】
2008296340.tif 000003
【図２】
2008296340.tif 000004
【図３】
2008296340.tif 000005
【図４】
2008296340.tif 000006